(57)【要約】    【課題】      塗布具に化粧材を付着させ、この付着した化粧材を肌に化粧する化粧材塗布具容器であって、前記化粧材に関連する棒状化粧材を複合的に利用できるとともに、使用しやすい容器を提供することを目的とする。    【解決手段】  化粧材が充填された内筒を容器本体に収容し、容器本体開口孔側に常時付勢する手段を設け、容器本体外周に雄ねじを設け、これに螺合開閉する下部腔部を有するとともに上部円筒体を備えたジョイントを構成し、上部腔部を穿設し、棒軸ペンシルを嵌合する。これをカバーするキャップは、上部円筒体の外周に着脱自在とするとともに、キャップとジョイントが同期に回動する手段が取られる。    【選択図】    図１
2006320565.tif 000002
【特許請求の範囲】
【請求項１】
容器本体が外筒と、この外筒内に摺動可能に収容された、化粧材が充填された内筒と、この内筒と尾栓間にスプリングを介挿し、前記内筒を常時本体開口孔に付勢するとともに、本体前部外周に雄ねじを形成し、この雄ねじに螺合開閉するジョイントを構成し、このジョイント下部腔部より棒軸を垂下し、この棒軸の先端に塗布具を固定し、前記容器本体開口孔より塗布具を進入させ、化粧材に当接させる化粧材塗布具容器において；
前記ジョイントに上部円筒体を形成し、上部腔部を穿設するとともに、キャップを前記ジョイントの上部円筒体に対し、垂直方向に着脱自在とするとともに、キャップの円周方向運動とジョイントが同期に係合し、キャップ付ジョイントが容器本体より着脱自在としたことを特徴とする化粧材塗布具容器。
【請求項２】
木軸又はプラスチック軸によって保護された芯材を木軸及びプラスチック軸を削ることによって使用する棒軸ペンシルを、前記ジョイント上部腔部に嵌合したことを特徴とする請求項１記載の化粧材塗布具容器。
【請求項３】
先筒と基筒を回動可能離脱不能に連結し、先端に棒状化粧材保持部を備えた芯チャック部材を摺動自在に内挿し、先筒と基筒の回転操作で前記棒状化粧材保持部に保持された棒状化粧材が先筒の先端開口孔より進退する棒状化粧材繰出容器を前記ジョイント上部腔部内に基筒部分を内挿可能着脱自在とし、前記ジョイントと基筒を同期に回動する係合手段を設けたことを特徴とする請求項１記載の化粧材塗布具容器。
【発明の詳細な説明】
【技術分野】
【０００１】
本発明は、化粧材塗布具容器に関し、化粧料塗布具と関連するアイライナー、アイブロウ等ペンシルを併用して使用する技術に関する。
【背景技術】
【０００２】
キャップを一体化し、キャップより垂下した塗布棒の先端に塗布具を固定し、化粧料を充填した内筒と、容器本体に収容し、スプリングによって容器本体開口孔に常時付勢して、キャップと容器の開閉時に塗布具が化粧材に当接して塗布具に一定量の化粧料を付着させる手段をとった発明は、実用新案公報昭５６−２２８０８号公報に開示され、その後多種の発明がなされている。
ただし、この容器を複合的に利用改良させた容器は少ない。
【特許文献１】実公昭５６−２２８０８号公報
【特許文献２】特許第３２０２１７８号公報
【特許文献３】特開２００４−１２９９５３号公報
【発明の開示】
【発明が解決しようとする課題】
【０００３】
本発明は上記問題に鑑みなされたものであって、化粧材塗布具容器と棒軸ペンシル、又は棒状化粧材繰出容器を一体化するとともに、キャップを設けて、化粧材塗布具と棒軸ペンシル、又は棒状化粧材繰出容器の両方を使用しやすい容器として提供することを目的としている。
【課題を解決するための手段】
【０００４】
そのため、本発明の化粧材塗布具容器は、容器本体が外筒と、この外筒内に摺動可能に収容された、化粧材が充填された内筒と、この内筒と尾栓間にスプリングを介挿し、前記内筒を常時本体開口孔に付勢するとともに、本体前部外周に雄ねじを形成し、この雄ねじに螺合開閉するジョイントを構成し、このジョイント下部腔部より棒軸を垂下し、この棒軸の先端に塗布具を固定し、前記容器本体開口孔より塗布具を進入させ、化粧材に当接させる化粧材塗布具容器において；
前記ジョイントに上部円筒体を形成し、上部腔部を穿設するとともに、キャップを前記ジョイントの上部円筒体に対し、垂直方向に着脱自在とするとともに、キャップの円周方向運動とジョイントが同期に係合し、キャップ付ジョイントが容器本体より着脱自在とする手段を講じたものである。
【０００５】
第２の発明においては、木軸又はプラスチック軸によって保護された芯材を木軸及びプラスチック軸を削ることによって使用する棒軸ペンシルを、前記ジョイント上部腔部に嵌合する手段を講じたものである。
【０００６】
第３の発明においては、先筒と基筒を回動可能離脱不能に連結し、先端に棒状化粧材保持部を備えた芯チャック部材を摺動自在に内挿し、先筒と基筒の回転操作で前記棒状化粧材保持部に保持された棒状化粧材が先筒の先端開口孔より進退する棒状化粧材繰出容器を前記ジョイント上部腔部内に基筒部分を内挿可能着脱自在とし、前記ジョイントと基筒を同期に回動する係合手段を設ける手段を講じたものである。
【発明を実施するための最良の形態】
【０００７】
本発明の化粧材塗布具容器１は、キャップ４を回転運動すると、ジョイント３とキャップ４が同期に回動することで、容器本体２より塗布具７が分離し、化粧を施し、同様な回転操作で容器本体２にジョイント３が螺合する。棒軸ペンシルを使用する際は、キャップ４を垂直に外し、容器本体２を含む外装部を持って化粧が行える。又、棒軸ペンシルはジョイントより引き抜き、削ることも出来る。
【実施例１】
【０００８】
本発明を図により詳細に説明する。図１〜図２は、第１の実施例を示すもので、図１（Ａ）は本発明の化粧材塗布具容器が一体化された縦一部断面図であり、（Ｂ）はキャップ４とジョイント３が同期に回動される拡大図を示し、（Ｃ）はキャップ４を回動し、塗布具７を容器本体２より引き抜いた状態を示している。
【０００９】
本発明の化粧材塗布具容器１は、外筒２０内に摺動自在に収容された内筒８内に化粧材Ａを充填し、スプリング９によって常時外筒２０の開口孔２１側に付勢され、尾栓１０とで構成される容器本体２と、この容器本体２の口栓に雄ねじ２２を形成し、ジョイント３の下部円筒体３０ｂに穿設される下部腔部３２に螺旋部３３を形成し、前記雄ねじ２２に螺合開閉可能とするとともに、前記ジョイント３より棒軸６を垂下し、先端に塗布具７を固着して、前記容器本体２内の化粧材Ａに当接させるとともに、ジョイント上部円筒体３０ａに上部腔部３１を穿設し、先端に芯材５１を備えた棒軸ペンシル５の後部縮径部５２と、ジョイント３の上部腔部３１を嵌合したもので、キャップ４は棒軸ペンシル５をカバーし、ジョイント３の上部円筒体３０ａの係合突起３５に嵌合凹部４２が嵌合するとともに縦リブ３４にキャップ４のリブ４３が係合する手段が取られている（（Ｂ）参照）。
【００１０】
化粧材塗布具容器１の使用方法は、キャップ４を垂直方向にジョイント３より離脱して、容器本体２，ジョイント３，棒軸ペンシル５が一体となったものを使用して化粧をすることも出来るし、又、棒軸ペンシル５のみをジョイント３より引き抜いて芯材５１を削ったり、化粧をすることも出来る。又、棒軸ペンシル５とジョイント３を接着して離脱不能としても良い。
【００１１】
塗布具７を使用する際は、図１の（Ｃ）に示す如く、キャップ４を円周方向に回動することで、キャップ４とジョイント３が同期に回動し、容器本体２より塗布具７を備えた摘み部４ａとして、容器本体２の雄ねじ２２より螺合が外れるので、（１）摘み部４ａが長く、使用しやすい塗布具容器として使用できる。
容器本体２に仕舞う場合も、キャップ４を含む摘み部４ａを持って、塗布具７を容器本体２の開口孔２１より進入させ、キャップ４を持って螺合を終了することが可能なため、非常に使い勝手がよい。
【００１２】
（２）又、化粧をする際も肌の上で塗布具７を回動しても、キャップ４とジョイント３が連結されているとともに同期に回動する手段が取られているため、塗布具が肌の上で空回りすることなく化粧を施すことが出来る。
【００１３】
上記（１）（２）の記載事項が棒軸ペンシル５を使用できることを含めた本発明の特徴である。
【００１４】
図２は、化粧材塗布具容器１に使用される各部材を示したもので、（Ｄ）はキャップ４を示し、天面を有する円筒４０で構成され、内径にジョイント３の縦リブ３４と係合するリブ４３と、係合突起３５に嵌合する嵌合凹部４２を有する。
【００１５】
（Ｅ）は棒軸ペンシル５を示し、実施例では木軸５０によって保護された芯材５１を削ることで使用が可能となる。本発明においては、木軸に限ることなくプラスチックで保護された芯材であっても本発明の範疇に属するものであり、棒軸ペンシル５はジョイント３の上部腔部３１に強制嵌合されているものであり、抜き出し削ることも使用することも可能である。又、逆に、棒軸ペンシル５をジョイント３の上部腔部３１に接着して離脱不能としても良い。
【００１６】
（Ｆ）はジョイント３を示すもので、下部円筒体３０ｂと上部円筒体３０ａより形成され、下部腔部３２には棒軸６を固定する嵌合凹部３７と、外筒２０の雄ねじ２２に螺合開閉する螺旋部３３が設けられる。上部円筒体３０ａ外周には縦リブ３４と係合突起３５が設置され、上部腔部３１が穿設され、第１実施例では棒軸ペンシル５の後部縮径部５２が嵌合される。
【００１７】
（Ｇ）は軸部６０を有する棒軸６を示し、嵌合固定部６２でジョイント３の下部腔部３２に固定されるとともに、先端腔部６１には塗布具７が固着される。
（Ｈ）は、容器本体２の外筒２０を示すもので、先端には開口孔２１を備え、外周にはジョイント３と螺合する雄ねじ２２が設けられる。また、内周には内筒８と係合する縦溝が形成されるとともに、尾栓１０と一体化する嵌合部２４が設けられる。
【００１８】
（Ｉ）は化粧材Ａが充填された内筒８であり、外周より摺動突起８ａが突設され、外筒２０の縦溝に係合する。
【００１９】
（Ｊ）はスプリング９を示し、スプリング９の先端９ａは内筒８の底面に当接し、スプリング９の後端９ｂは尾栓１０の底面１３に当接して常時内筒８を外筒２０の開口孔２１側に付勢している。
【００２０】
（Ｋ）は尾栓１０を示すもので、係合凸部１２が外筒２０の嵌合部２４に嵌合し、フランジ１１が外筒２０の端面を塞いで容器本体２を形成する。
【実施例２】
【００２１】
図３及び図４は第２の実施例を示すものであり、図３（Ｌ）は化粧材塗布具容器１０１の縦一部断面図を表し、（Ｍ）はキャップ４を回動して容器本体２より塗布具７を抜いた状態を示した図である。
【００２２】
化粧材塗布具容器１０１は、カートリッジとしての棒状化粧材繰出容器１０５と、ジョイント１０３が実施例１とは異なる形態を構成し、他部材、キャップ４，棒軸６，外筒２０，内筒８，スプリング９，尾栓１０は共通な部材となるため、容器本体２を含む共通部材は第１実施例と同符号によって説明を行う。
又、図４には（Ｎ）棒状化粧材繰出容器１０５と（Ｏ）ジョイント１０３の詳細図を記載して説明に当たる。
【００２３】
化粧材塗布具容器１０１は、第１実施例と同様、キャップ４とジョイント１０３は内径のリブ４３と、図４の（Ｏ）に示す如くジョイント１０３の縦リブ１３４が係合することで、キャップ４の円周方向運動に対しジョイント１０３は同期の回動を行うとともにキャップ４の嵌合凹部４２と係合突起１３５の嵌合によって、図３の（Ｍ）に示す如くキャップ４とジョイント１０３は一体化して、容器本体２より離脱し、キャップ４付ジョイント１０３が一体化した摘み部として化粧を施すことが出来る。
【００２４】
又、キャップ４を垂直方向に、ジョイント１０３より外すと、キャップ４の嵌合凹部４２とジョイント１０３の係合突起１３５が外れることで、カートリッジとしての棒状化粧材繰出容器１０５に先筒１５０とジョイント１０３の回転操作によって、棒状化粧材Ｂを先筒１５０の先端開口孔１５１より突出して化粧をすることが出来る。又、逆の回動で棒状化粧材Ｂを先筒１５０内に収容し、キャップ４をジョイント１０３に係合し、図３の（Ｌ）の状態に戻れる。
【００２５】
第２の実施例における棒状化粧材繰出容器（カートリッジ）１０５は、図４の（Ｎ）に示す如く先筒１５０と基筒１６０を連結部ａで回動可能離脱不能に連結し、先端に化粧材保持部１７１を備えた芯チャック部材１７０を内挿し、先筒１５０と基筒１６０の回転操作で化粧材保持部１７１である爪片１７２に保持された棒状化粧材Ｂを先筒１５０の先端開口孔１５１より進退する構造とし、基筒１６０外周にリブ１６２を設けるとともに係合凸部１７５を突設し、ジョイントの上部腔部１３１に基筒１６０を内挿可能とし、基筒嵌合部１３１ａに係合凸部１７５を嵌合するとともにローレット１３１ｂにリブ１６２を係合することで、ジョイント１０３と基筒１６０を同期に回動させ、先筒１５０との回転操作で棒状化粧材Ｂを進退可能とした。
【００２６】
当然の事ながら、棒状化粧材繰出容器（カートリッジ）１０５は、ジョイント１０３の上部腔部１３１に対し、着脱自在に交換することが可能である。
第２の実施例における棒状化粧材繰出容器１０５の構造は、先筒１５０の先端開口孔１５１とほぼ同寸法の貫通孔１５３を穿設し、この貫通孔１５３に沿って４本の摺動溝１５２を設け、芯チャック部材１７０の先端に４つの爪片１７２をこの摺動溝１５２に位置させるとともに、爪片１７２に垂下する凸片１７６を摺動溝１５２に係合させて回転止め機構とするとともに、基筒１６０の前部内径に螺旋部１６１を設け、芯チャック部材１７０の棒軸１７４の表面の凸条に雄ねじ突起１７３を複数突設して螺旋部１６１に螺合することで繰出機構としたものであるが、繰出機構は限定されるものではなく、先筒１５０と基筒１６０の回転操作で内挿された芯チャック部材１７０が摺動する機構であればよい。
【図面の簡単な説明】
【００２７】
【図１】本発明の第１の実施例の化粧材塗布具容器である。（Ａ）は本発明の化粧材塗布具容器が一体化された縦一部断面図であり、（Ｂ）はキャップ４とジョイント３が同期に回動される拡大図を示し、（Ｃ）はキャップ４を回動し、塗布具７を容器本体２より引き抜いた状態を示している。
【図２】図１で示されている化粧材塗布具容器の各部材の立体断面図である。（Ｄ）はキャップ４を示し、（Ｅ）は棒軸ペンシル５を示し、（Ｆ）はジョイント３を示し、（Ｇ）は軸部６０を有する棒軸６を示し、（Ｈ）は、容器本体２の外筒２０を示し、（Ｉ）は化粧材Ａが充填された内筒８を示し、（Ｊ）はスプリング９を示し、（Ｋ）は尾栓１０を示す。
【図３】本発明の第２の実施例の化粧材塗布具容器である。（Ｌ）は化粧材塗布具容器１０１の縦一部断面図を表し、（Ｍ）はキャップ４を回動して容器本体２より塗布具７を抜いた状態を示している。
【図４】図３で示されている化粧材塗布具容器の、（Ｎ）棒状化粧材繰出容器１０５と（Ｏ）ジョイント１０３の詳細図である。
【符号の説明】
【００２８】
Ａ・・・・化粧材
Ｂ・・・・棒状化粧材
ａ・・・・連結部
ｂ・・・・連結部
１・・・・化粧材塗布具容器
２・・・・容器本体
３・・・・ジョイント
４・・・・キャップ
４ａ・・・摘部
５・・・・棒軸ペンシル
６・・・・棒軸
７・・・・塗布具
８・・・・内筒
８ａ・・・摺動突起
９・・・・スプリング
９ａ・・・先端
９ｂ・・・後端
１０・・・尾栓
１１・・・フランジ
１２・・・係合凸部
１３・・・底面
２０・・・外筒
２１・・・開口孔
２２・・・雄ネジ
２３・・・縦溝
２４・・・嵌合部
３０ａ・・上部円筒体
３０ｂ・・下部円筒体
３１・・・上部腔部
３２・・・下部腔部
３３・・・螺旋部
３４・・・縦リブ
３５・・・係合突起
３６・・・段部
３７・・・嵌合凹部
４０・・・円筒
４１・・・開口孔
４２・・・嵌合凹部
４３・・・リブ
５０・・・木軸
５１・・・芯材
５２・・・後部縮径部
６０・・・軸部
６１・・・腔部
６２・・・嵌合固定部
６２ａ・・突部
１０１・・化粧材塗布具容器
１０３・・ジョイント
１０５・・棒状化粧材繰出容器
１３０ａ・上部円筒体
１３０ｂ・下部円筒体
１３１・・上部腔部
１３２・・下部腔部
１３３・・螺旋部
１３４・・縦リブ
１３５・・係合突起
１３７・・嵌合凹部
１３１ａ・基筒嵌合部
１３１ｂ・ローレット
１５０・・先筒
１５１・・先端開口孔
１５２・・摺動溝
１５３・・貫通孔
１６０・・基筒
１６１・・螺旋部
１６２・・リブ
１７０・・芯チャック部材
１７１・・化粧材保持部
１７２・・爪片
１７３・・雄ネジ突起
１７４・・棒軸
１７５・・係合凸部
１７６・・凸片
１８０・・係止片
【図１】
2006320565.tif 000003
【図２】
2006320565.tif 000004
【図３】
2006320565.tif 000005
【図４】
2006320565.tif 000006